(57)【特許請求の範囲】
【請求項１】
扉に取り付けられる錠箱内に設けられたデッドボルトをフロント板から出没させるために、室内側のサムターン又は室外側のシリンダ錠で回動操作できるように錠箱に回動可能に支承させたカムを該デッドボルトに係合させて成る本締り錠において、内端部にサムターン軸を、外端部にテールピースを夫々挿嵌させたクラッチ筒を、カムにおいて軸線方向にのみ相対移動できるように案内し、一方、テールピースの基端部の断面形状をサムターン軸のそれと同じにし、クラッチ筒は常態で外端部がテールピースの先端部と係合する非作動位置に向け付勢してあり、更に、上記クラッチ筒を外端部がテールピースの基端部と係合する作動位置を占めるようにするために、錠箱内に水平方向に移動可能な作動部材を設け、その作動部材の一端は手指で直接又は間接的に操作することができるようにフロント板に設けた開口部分に臨ませると共に、斜面カムを形成した他端側は上記クラッチ筒に連係させたことを特徴とする本締り錠における防犯装置。
【発明の詳細な説明】
【０００１】
【発明の属する技術分野】
この発明は、本締り錠における防犯装置に関する。
【０００２】
【従来の技術】
扉に取り付けられる錠箱内に設けられたデッドボルトをフロント板から出没させるために、室内側のサムターン又は室外側のシリンダ錠で回動操作できるように錠箱に回動可能に支承させたカムを該デッドボルトに係合させて成る本締り錠は、従来より周知のものである。
【０００３】
このような錠においては、その錠が取り付けられた扉自体又はその近傍にガラス窓が設けられていると、施錠時窓ガラスが破られてそこから差し込んだ手でサムターンが回動操作され、不正解錠により扉が開放されてしまうことがある。
【０００４】
【発明が解決しようとする課題】
この発明に係る本締り錠における防犯装置は、前述のようなサムターンによる不正解錠を無くすために提案されたものである。
【０００５】
【課題を解決するための手段】
上記の目的を達成するため、この発明は、扉に取り付けられる錠箱内に設けられたデッドボルトをフロント板から出没させるために、室内側のサムターン又は室外側のシリンダ錠で回動操作できるように錠箱に回動可能に支承させたカムを該デッドボルトに係合させて成る本締り錠において、内端部にサムターン軸を、外端部にテールピースを夫々挿嵌させたクラッチ筒を、カムにおいて軸線方向にのみ相対移動できるように案内し、一方、テールピースの基端部の断面形状をサムターン軸のそれと同じにし、クラッチ筒は常態で外端部がテールピースの先端部と係合する非作動位置に向け付勢してあり、更に、上記クラッチ筒を外端部がテールピースの基端部と係合する作動位置を占めるようにするために、錠箱内に水平方向に移動可能な作動部材を設け、その作動部材の一端は手指で直接又は間接的に操作することができるようにフロント板に設けた開口部分に臨ませると共に、斜面カムを形成した他端側は上記クラッチ筒に連係させたことを特徴とする。
【０００６】
【発明の実施の形態】
以下、図面に示す実施例に基いてこの発明について説明する。
図１〜図４において、符号１は扉１０に取り付けられる錠箱、１１は錠箱１のフロント板、１２はその裏板、２は扉枠２０又は両開き扉における他の扉に取り付けられるストライク板、２１はデッドボルト３を係入させるためストライク板２に設けた係入孔をそれぞれ示す。
【０００７】
錠箱１内に設けられたデッドボルト３は、ストライク板１１の貫通孔１３や任意の案内手段３１等により水平方向に移動可能に案内され、収納位置と突出位置との間で変位可能に案内されている。
【０００８】
図示例の案内手段３１は、図１に示すように、錠箱１に固定された支柱を兼ねるピンとデッドボルト３に設けられた長孔の組で成り、これらピンと長孔はデッドボルト３のストロークの両端におけるストッパとしての役割も果たす。
【０００９】
デッドボルト３の一側を構成する側板３２の後部には、後記のカム４の腕片４２が係合される従動切欠３３が形成されている。
【００１０】
カム４の中央部には、図１及び図３に示すように、筒部４１が形成されており、この筒部４１に、周知のクラッチ孔５３を軸線に沿って形成したクラッチ筒５が摺動可能に嵌合している。
【００１１】
このクラッチ筒５の両端部は錠箱１の両側板に回動可能に支承されると共に、その外周面には少なくとも１本（図示の実施例では３本）の受動ピン５１が植設されている。
【００１２】
各受動ピン５１は、カム４の筒部４１にその母線方向に沿って形成された長孔４６（図３参照）に摺動可能に貫通させてあり、その先端部は後述の作動部材８に可動な状態で係合させてある。
【００１３】
上記の受動ピン５１と長孔４６の各組はクラッチ片５の長さ方向（軸線方向）の移動の範囲を制限するストッパの役割も果たす。
【００１４】
図示例の３本の受動ピン５１はそれらと対応する後述の作動部材８における作動部８４の形状や位置の関係で適当な角度を隔ててクラッチ片５に植設されている。
【００１５】
上記した構成により、カム４はクラッチ筒５を介して錠箱１の側板に回動可能に支承されることになり、かつ、クラッチ筒５はカム４に対しその軸線方向に一定距離摺動して相対移動が可能であるが、円周方向においては相互に拘束される。
【００１６】
なお、図示の実施例では、カム４を大きくしないため上記した構成を採っているが、筒部４１をもっと厚くしてその両端に小径段部を形成し、この小径段部を錠箱１の側板に回動可能に支承させるようにしてもよい。
【００１７】
そして、カム４の胴部とも言うべき筒部４１から半径方向に延出させた一体の腕片４２がデッドボルト３の従動切欠３３に係合させてある。
【００１８】
一方、クラッチ筒５の内端部におけるクラッチ孔５３には、図１及び図３に示すように、通常横断面十字形のサムターン軸６が嵌挿されている。
【００１９】
また、クラッチ筒５の外端部におけるクラッチ孔５３には、図２及び図３に示すように、図示しないシリンダ錠の内筒に連結されたテールピース７が嵌挿されている。
【００２０】
このテールピース７の基部は、図２及び図５に示すように、サムターン軸６と同様に横断面十字形に成形されている。
【００２１】
なお、図１（Ｂ）及び図３において、符号４５はカム４に一体に突設した三角形状の突部４４に当接させたカム用のクリック手段を示し、そのクリック手段４５は横断面がコ字状の揺動部片及びそれをカム４の突部４４に押圧させるためのねじりばねで構成されている。
【００２２】
本発明において特徴的な構成は、図１〜図３に示すように、サムターン軸６とテールピース７の基部を結合状態又は非結合状態とするために、カム４における筒部４１に、回転方向には拘束され、軸線方向にのみ可動のクラッチ筒５を装着した点にある。
【００２３】
そして、クラッチ筒５は、本発明の防犯装置が非作動状態である常態においてテールピース７の横断面十字形の基部と係合しないように（図３参照）、圧縮コイルばね等の付勢手段５４でテールピース７から離間する方向（図３で左方）に付勢されている。
【００２４】
一方、上記のクラッチ筒５をテールピース７の基部との係合位置と非係合位置の間で移動変位させるための作動部材８は、錠箱１内で例えば符号８５で示す適当な案内手段等により案内されて水平方向（前後方向）に摺動変位できるように設けてある。
【００２５】
その作動部材８は、図１、図４及び図６に示すように、例えば１枚の板材を折り曲げて横長に形成してあり、一端側（前端側）にはフロント板１１に設けた開口部分１４を常態において封ずることができるように箱形に折り曲げた頭部８１を有し、他端側には呼び付けボルトを貫通させるため錠箱１に固定させたスリーブ９及びカム４の筒部部４１を逃がすためにＵ字状に形成した脚部８２、８２を有する。
【００２６】
図示の作動部材８において、符号８３は操作する人が指を差し込むための操作穴を示し、また、符号８４は、上記受動ピン５１を介してクラッチ片５を変位させるために、各脚部８２の長さ方向の中央部を内向きの山形に折り曲げて形成した、斜面カムをなす作動部を示している。
【００２７】
作動部材８の案内手段を更に具体的に述べれば、図示例においては、作動部材８に設けた案内長孔と錠箱１に固設したピンの組から成る案内手段８５並びに作動部材８の対を成す脚部８２、８２の内側辺をカム４の胴部（軸部）４１に摺接させた案内手段が用いられているが、他の周知の案内手段を用いてもよいことは言うまでもない。
【００２８】
また、図示の作動部材８では、その頭部８１に設けた操作穴８３に指を差し込んで該作動部材８を直接操作するようにしてあるが、フロント板１１の開口部分１４に切換スイッチ又は押釦等を設け、その操作部片に作動部材８を連係させるなどして該操作部材８を間接的に操作するようにしてもよい。
【００２９】
次に、この発明に係る防犯装置の作用を図示例に基いて説明する。
図１及び図３はいずれも本装置の非作動状態である常態を示しており、図３に示すように、クラッチ孔５３の内端部には断面十字形のサムターン軸６が、クラッチ孔５３の外端部には横断面Ｉ字形のテールピース７の先端部のみが嵌挿されている。
【００３０】
この状態は、通常の本締り錠におけるサムターン軸、テールピース及びクラッチ孔の係合関係と同じであるから、従来の本締り錠と同様施解錠はサムターン及びシリンダ錠に差し込んだ鍵のいずれによっても行うことができる。
【００３１】
本発明に係る防犯装置を作動状態にするためには、図６に示すように、扉１０を開放させた上でフロント板１１の開口部分１４を通じて作動部材８の前端部に指を掛け該作動部材８を矢印Ａのように押し込む。
【００３２】
この際、作動部材８の山形をなす作動部８４が、図８に示すように、受動ピン５１の少くも１本に摺接して、その受動ピン５１をそれが固設されたクラッチ筒５と共に図８で右方の非結合位置に付勢手段７の付勢力に抗して押し込むので、クラッチ筒５の外端部が断面十字形のテールピース７の基部と係合するに致る。
【００３３】
この作動状態では、サムターン軸６とテールピース７とがクラッチ筒５を介して一体に連結されるので、サムターンを手で回してもシリンダ錠の内筒が動かないのでサムターンによる施解錠は不能となる。
【００３４】
しかしながら、居住者等は外出に際し室外側のシリンダ錠に差し込んだ鍵でカム４を所定角度（例えば９０°）回動させることにより施錠することができ（図７参照）、また、帰宅時には同様にして解錠できることは勿論である。
【００３５】
この場合、サムターン軸６はクラッチ筒５及びテールピース７を介してシリンダ錠の内筒に連結されるので、シリンダ錠の操作毎にサムターンが回るが、これは従来の本締り錠においても同様である。
【００３６】
なお、この作動状態では、図６に示すように、時計盤面に換算して１２時と６時の角度位置にある受動ピン５１、５１が先ず作動部材の作動部８４に乗り上がる。
【００３７】
この状態でシリンダ錠に差込んだ鍵でカム４を９０゜回動させると、図７に示すように、これらの受動ピン５１、５１は作動部材８との係合から外れてしまい、通常ならば付勢手段５４の弾力によってクラッチ筒５は図３に示すテールピース７の基部との非係合位置に戻ってしまう。
【００３８】
しかしながら、図示の実施例では、図１において時計盤面に換算して４時半の角度位置にもう１本受動ピン５１が植設されており、カム４を９０゜回動させたときに、図７に示すように、この受動ピン５１が作動部材の作動部８４に乗り上がるので、作動状態は保たれる。
【００３９】
この余分の受動ピン５１は、カム４の特定の作動角度に応じて付設されたもので、カム４の作動角度が例えば４５゜の錠機構では必要ではないことは明らかで、本発明の必須の構成要素ではない。
【００４０】
一方、居住者等が外出中、窃盗等を目的とする者が、扉自体又は扉の近傍に設けた窓ガラスを割ってその穴から手を差し込んでサムターンを回動しようとしても、サムターン軸６は前述の通りシリンダ錠によって錠止されるので、サムターンによる不正解錠は不能である。
【００４１】
なお、居住者等が外出から戻り、この防犯装置を非作動状態である常態に戻すには、扉１０を開放させた状態において後方位置に押し込んだ作動部材８をフロント板１１の開口部分１４を通じて前方位置に引き出せば良い。
【００４２】
その際、クラッチ筒５は図８に示すテールピースの基部との係合位置から図３に示す非係合位置に復帰するので、通常の本締り錠における施解錠機構に戻る。
【００４３】
【発明の効果】
以上に説明したこの発明に係る本締り錠における防犯装置によれば、扉自体又はその近傍に設けられた窓ガラスを破って、そこから手を差し込んでサムターンを回動操作しようとしても、居住者等は外出に際しサムターン軸をシリンダ錠により錠止することができるので、サムターンによる不正解錠を防止するに極めて有効である。
【００４４】
また、この発明の防犯装置の作動状態は扉を開放させない限り解除することができないので、防犯上高度の安全性が保てるという効果を奏する。
【図面の簡単な説明】
【図１】  この発明の本締り錠における防犯装置の実施例を非作動状態で示す図で、（Ａ）は正面図、（Ｂ）は部分縦断側面図である。
【図２】  図1の実施例から取り外したカム及びクラッチ筒の組立体を付勢手段を省略して示す側面図。
【図３】  図１（Ｂ）のＩＩＩ−ＩＩＩ線による横断部分背面図。
【図４】  図１の実施例から取り外した作動部材を示す図で、（Ａ）は側面図、（Ｂ）は平面図である。
【図５】  テールピースの先端部を示す斜視図。
【図６】  図１の実施例を作動状態とし、かつ解錠状態で示す部分縦断側面図。
【図７】  図１の実施例を作動状態とし、かつ施錠状態で示す部分縦断側面図。
【図８】  図７のＶＩＩＩ−ＶＩＩＩ線による横断部分背面図。
【図１】
0004438105.tif 000002
【図２】
0004438105.tif 000003
【図３】
0004438105.tif 000004
【図４】
0004438105.tif 000005
【図５】
0004438105.tif 000006
【図６】
0004438105.tif 000007
【図７】
0004438105.tif 000008
【図８】
0004438105.tif 000009